(57)【要約】【課題】ディスプレイやプリンタなどのカラー画像入出力装置単体の色再現能力及び複数のカラー画像入出力装置の間における色整合性能を評価するシステム及び方法を提供する。【解決手段】カラー画像入出力装置が再現できる色域を色域体積として表し、複数のカラー画像入出力装置の間における色整合性能を色域包含率として表すシステム及び方法によって課題を解決した。【選択図】図１
2008104055.tif 000002
【特許請求の範囲】
【請求項１】
カラー画像入出力装置の色再現性能及び装置間の色整合性能を評価するカラー画像入出力装置評価システムであって、
評価の対象になっているカラー画像入出力装置に固有のICCプロファイル情報を取得するICCプロファイル情報取得手段と、
取得したICCプロファイル情報に基づき、CIE Lab値からなる三次元色空間であるCIE Lab色域立体を作成する第一のCIE Lab空間変換手段と、
作成されたCIE Lab色域立体の全体の体積を求める色域体積計算手段と、
を備えてなることを特徴とするカラー画像入出力装置評価システム。
【請求項２】
カラー画像入出力装置の色再現性能及び装置間の色整合性能を評価するカラー画像入出力装置評価システムであって、
評価の対象になっているカラー画像入出力装置に固有のICCプロファイル情報を取得するICCプロファイル情報取得手段と、
取得したICCプロファイル情報に基づき、CIE JCH値から直交３軸で示される均等色空間の直交３軸の値（J、aj、bj）を算出すると共に、これをCIE Lab値における直交３軸の値（L、a、b）に置き換え、この置き換えられたLab値からなる三次元色空間であるCIE Lab色域立体を作成する第二のCIE Lab空間変換手段と、
作成されたCIE Lab色域立体の全体の体積を求める色域体積計算手段と、
を備えてなることを特徴とするカラー画像入出力装置評価システム。
【請求項３】
第一のCIE Lab空間変換手段及び第二のCIE Lab空間変換手段は、それぞれ、CIE Lab空間におけるCIE Lab値の明度Ｌ値と、ａ値、ｂ値からなる三辺が、２色の色の違いを示す色差が１．０になっている立方体を形成している状態の立方体を一単位とし、この立方体を空間上に積み重ねてCIE Lab色域立体を作成することを特徴とする請求項１又は２記載のカラー画像入出力装置評価システム。
【請求項４】
色域体積計算手段は、
第一のCIE Lab空間変換手段及び第二のCIE Lab空間変換手段がそれぞれ作成したCIE Lab色域立体を構成する個々の点を所定の明度単位に分割し、当該所定の明度単位に分割されたａｂ平面の色域を所定の色相角単位に分割すると共に、
当該所定の色相角における最も彩度の高い点を輪郭点とし、
隣り合う色相角の輪郭点と、無彩色点とを結んで三角形を作成する明度色相三角形作成手段を備えており、
所定の明度単位に分割されたａｂ平面における当該明度色相三角形作成手段によって作成された全ての三角形の面積を加算して当該ａｂ平面の色域面積を算出すると共に、
算出された当該ａｂ平面の色域面積に、分割した明度単位を乗算して明度ごとの色域体積を算出し、
この処理を全ての明度に対して行なって加算し、CIE Lab色域立体の全体の体積を求める
ものであることを特徴とする請求項１乃至３のいずれか一項記載のカラー画像入出力装置評価システム。
【請求項５】
評価の対象になっている２つの異なるカラー画像入出力装置の中の一方のカラー画像入出力装置における前記CIE Lab空間変換手段によって作成された一方のCIE Lab色域立体と、他方のカラー画像入出力装置における前記CIE Lab空間変換手段によって作成された他方のCIE Lab色域立体とが重なる割合である色域包含率を計算する色域包含率計算手段を
更に備えていることを特徴とする請求項１乃至４のいずれか一項記載のカラー画像入出力装置評価システム。
【請求項６】
色域包含率計算手段は、
評価の対象になっている２つの異なるカラー画像入出力装置の中の一方のカラー画像入出力装置における前記第一のCIE Lab空間変換手段又は第二のCIE Lab空間変換手段によって作成された一方のCIE Lab色域立体の中の任意の１点が、
他方のカラー画像入出力装置における前記明度色相三角形作成手段によって作成された三角形における、当該任意の１点と同一の明度、同一の色相角の三角形に内包されているか否かを判定する三角形内外判定手段を備えており、
当該三角形内外判定手段による判定を、前記一方のCIE Lab色域立体を構成する全ての点について行なって、
前記一方のCIE Lab色域立体を構成する全ての点の中で、他方カラー画像入出力装置における前記第一のCIE Lab空間変換手段又は第二のCIE Lab空間変換手段によって作成された他方のCIE Lab色域立体に内包されている点の割合を求めるものである
ことを特徴とする請求項５記載のカラー画像入出力装置評価システム。
【請求項７】
２つのカラー画像入出力装置の間における色再現能力を評価するカラー画像入出力装置評価方法であって、
各カラー画像入出力装置について第一のCIE Lab空間変換手段又は第二のCIE Lab空間変換手段が作成した、CIE Lab値からなる三次元色空間である各CIE Lab色域立体に関する情報を用いて、
当該各CIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点とを結んで明度色相三角形作成手段が作成した三角形に関する情報を用いて、
三角形内外判定手段が、評価の対象になっている２つの異なるカラー画像入出力装置の中の一方のカラー画像入出力装置における一方のCIE Lab色域立体の中の任意の１点が、他方のカラー画像入出力装置における当該任意の１点と同一の明度、同一の色相角の前記明度色相三角形作成手段によって作成されている三角形に内包されているか否かを判定する処理動作を行って、内包されている点であると判定した点である、包含色と判定された点に関する情報を用い、
明度色相三角形作成手段が、当該包含色であると判定された点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点とを結んで作成した三角形に関する情報を用い、
色域体積計算手段が、全ての三角形の面積を加算して当該ａｂ平面の色域面積を算出すると共に、算出された当該ａｂ平面の色域面積に、分割した明度単位を乗算して明度ごとの色域体積を算出し、この処理を全ての明度に対して行なって加算し、包含色のCIE Lab色域立体の全体の体積を求める
ことを特徴とするカラー画像入出力装置評価方法。
【請求項８】
２つのカラー画像入出力装置の間で任意の色を再現可能であるか否か評価するカラー画像入出力装置評価方法であって、
各カラー画像入出力装置について第一のCIE Lab空間変換手段又は第二のCIE Lab空間変換手段が作成した、CIE Lab値からなる三次元色空間である各CIE Lab色域立体に関する情報を用いて、
当該各CIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点とを結んで明度色相三角形作成手段が作成した三角形に関する情報を用いて、
三角形内外判定手段が、評価の対象になっている２つの異なるカラー画像入出力装置の中の一方のカラー画像入出力装置における一方のCIE Lab色域立体の中の任意の１点が、他方のカラー画像入出力装置における当該任意の１点と同一の明度、同一の色相角の前記明度色相三角形作成手段によって作成されている三角形に内包されているか否かを判定する処理動作を行って、内包されている点であると判定した点である、包含色と判定された点に関する情報を用い、
明度色相三角形作成手段が、当該包含色であると判定された点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点とを結んで作成した三角形に関する情報を用い、
再現可能であるか否かを判定する任意の色のCIE Lab値について、当該任意の色のCIE Lab値が、前記の明度色相三角形作成手段が作成している三角形に内包されるか否かを三角形内外判定手段を用いて判定する
ことを特徴とするカラー画像入出力装置評価方法。
【請求項９】
カラー画像入出力装置において任意の色を再現可能であるか評価するカラー画像入出力装置評価方法であって、
各カラー画像入出力装置について第一のCIE Lab空間変換手段又は第二のCIE Lab空間変換手段作成した、CIE Lab値からなる三次元色空間である各CIE Lab色域立体に関する情報を用いて、
当該各CIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点とを結んで明度色相三角形作成手段が作成した三角形に関する情報を用いて、
再現可能であるか否かを判定する任意の色のCIE Lab値について、当該任意の色のCIE Lab値が、前記の明度色相三角形作成手段が作成している三角形に内包されるか否かを三角形内外判定手段を用いて判定する
ことを特徴とするカラー画像入出力装置評価方法。
【発明の詳細な説明】
【技術分野】
【０００１】
本発明は、カラー画像入出力装置の色再現性能及び装置間の色整合性能を評価するシステム及びカラー画像入出力装置評価方法に関する。
【背景技術】
【０００２】
ディスプレイやプリンタなどのカラー画像入出力装置のカタログや製品仕様書に記載される色再現性能は、カラー画像入出力装置が色再現に用いる原色の色度座標値や、カラー画像入出力装置が再現できる色域をCIE Lab空間におけるab座標で示したグラフなどを用いて示されていることが多い。このため、カラー画像入出力装置の色再現性能を一意の数値として示すことはできていなかった。従って、色彩の専門家でもカラー画像入出力装置の色再現性能を正しく判断することが困難であった。
【０００３】
また、通常、カラー画像入出力装置の色再現性能は装置ごとに異なり、分光測色機などの光学測定機を用いて測定されるが、測定方法や測定結果の表現方法などが装置ごとに異なる場合があり、ディスプレイ-プリンタ間など異なる種類のカラー画像入出力装置間においては、色整合性能を一意に比較評価することができず、どの程度色合わせをすることができるのか知る方法がなかった。
【０００４】
従って、異なる色再現性能をもつ複数のカラー画像入出力装置間において同じ色再現を実現するためのカラーマッチングシステムは種々存在するが、（例えば、特許文献1参照）、異なるカラー画像入出力装置間で色再現ができる色の割合がどの程度存在するのかは不明確であった。また、カラー画像入出力装置の性能に依存して色合わせできない色が存在するということも明らかになっていなかったため、どのようなカラー画像入出力装置の組み合わせでも色合わせできるとの誤解を招きやすく、現実に再現された画像を目視比較した場合に違和感を覚えることが多かった。
【特許文献１】特開２００３−１２２５４２
【特許文献２】特開２００３−０６０９２２
【特許文献３】特開２００４−１６６０４５
【発明の開示】
【発明が解決しようとする課題】
【０００５】
この発明は、ディスプレイやプリンタなどのカラー画像入出力装置の色再現性能を一意の数値として示すことを可能にし、カラー画像入出力装置の色再現性能をだれでも、簡単に、正しく判断することを可能ならしめるカラー画像入出力装置評価システム及びカラー画像入出力装置評価方法を提案することを目的にしている。
【０００６】
また、この発明は、同一もしくは異なる種類のカラー画像入出力装置の間において、装置性能を相互に平等に比較することを可能ならしめるカラー画像入出力装置評価システム及びカラー画像入出力装置評価方法を提案することを目的にしている。
【０００７】
更に、この発明は、同一もしくは異なる種類のカラー画像入出力装置の間の色整合性能を判断可能にし、だれでも、簡単にかつ感覚的にカラー画像入出力装置の性能を判断することを可能ならしめるカラー画像入出力装置評価システム及びカラー画像入出力装置評価方法を提案することを目的にしている。
【０００８】
また、この発明は、同一もしくは異なる色再現性能をもつ複数のカラー画像入出力装置の間で同じ色再現を実現するための画像入出力現場におけるカラーマッチングの迅速な対応を可能ならしめるカラー画像入出力装置評価システム及びカラー画像入出力装置評価方法を提案することを目的にしている。
【課題を解決するための手段】
【０００９】
本発明は、ディスプレイやプリンタなどのカラー画像入出力装置単体の色再現能力及び複数のカラー画像入出力装置の間における色整合性能を評価するシステム及び方法であって、カラー画像入出力装置が再現できる色域を色域体積として表し、複数のカラー画像入出力装置の間における色整合性能を色域包含率として表すシステム及び方法によって上記の課題の解決を図ったものである。
【００１０】
この発明では、カラー画像入出力装置の色域をカラー画像入出力装置業界が色管理（カラーマネージメント）において装置性能を示す手法として標準的に使用しているICCプロファイルを用いてカラー画像入出力装置の色再現特性を解析し、均等色空間であるCIE Lab空間上の3次元情報として取り扱うようにしている。
【００１１】
なお、ICCプロファイルとは、カラー属性ファイル、すなわち、入力と出力デバイスのキャリブレーションのためのデバイスごとのカラー属性を定義したファイルであって、CIE XYZ表色系やCIE Lab表色系などの共通化した色の物指しで記述される、ICC（International Color Consortium）が規定したプロファイルである。
【００１２】
カラー画像入出力装置が表現できる色を平等に評価する場合に、装置が表現できる色をsRGBやAdobeRGBなどの規格にもとづいて変換されたRGB値で示すと、これらによって示される色域外の色を表示できるカラー画像入出力装置が存在するため、sRGBやAdobeRGBを用いて評価するのは適切ではない。
【００１３】
そこで、本発明では、通常、カラーマネージメントで用いられており、また色を絶対的な値である装置非依存の色空間（Device Independent Color Space）で表現するICC（International Color Consortium）プロファイルを用いることにした。
【００１４】
なお、装置非依存の色空間（Device Independent Color Space）には、CIE XYZもしくはCIE Labがあるが、本発明では人間の目で見て均等に色が配置されている均等色空間のCIE Lab空間を用いている。
【００１５】
ICCプロファイルではカラー画像入出力装置の性能が多次元の行列式や膨大なLUT（ルック・アップ・テーブル：装置が表現できる色を、装置依存色空間（Device Dependent Color Space）と装置非依存空間（Device Independent Color Space）を対にして、一定間隔で並べた対応表）で示されている。
【００１６】
本発明においては、この情報からカラー画像入出力装置が再現できる色域空間の輪郭を解析し、解析した輪郭情報を用いてカラー画像入出力装置が再現できる色域空間をCIE Lab（三次元の直交座標系ですべてのカラーを表す機器非依存の均等色空間（JISZ8729参照））立体の色域体積で示すようにしている。
【００１７】
そして、解析した輪郭情報を用いて複数のカラー画像入出力装置の間において、このCIE Lab立体が重なる部分を求め、このように、複数の装置の間で相互に重なる部分における適合率もしくは色域体積の割合を算出することにより、共通色の割合を求め、複数のカラー画像入出力装置の間における色整合の特性として色域包含率を表すようにしたものである。
【００１８】
なお、本発明においては、このように、色域が重なる部分の適合率を使用して複数のカラー画像入出力装置の間における色整合の特性を判定することもできるが、色域体積の割合を用いて複数のカラー画像入出力装置の間における色整合の特性を判定することもできる。
【００１９】
すなわち、前記目的を達成するため、この発明が提案する、カラー画像入出力装置評価システムは、以下に説明するICCプロファイル情報取得手段と、第一のCIE Lab空間変換手段と、第二のCIE Lab空間変換手段と、色域体積計算手段と、を備え、カラー画像入出力装置の色再現性能及び装置間の色整合性能を評価するものである。
【００２０】
前記において、ICCプロファイル情報取得手段は、評価の対象になっているカラー画像入出力装置に固有のICCプロファイル情報を取得する処理動作を行なうものである。
【００２１】
また、第一のCIE Lab空間変換手段は、前記のICCプロファイル情報に基づき、CIE Lab値からなる三次元色空間であるCIE Lab色域立体を作成する処理動作を行なうもので、第二のCIE Lab空間変換手段は、ICCプロファイル情報に基づき、CIE JCH値から直交３軸で示される均等色空間の直交３軸の値（J、aj、bj）を算出すると共に、これをCIE Lab値における直交３軸の値（L、a、b）に置き換え、この置き換えられたLab値からなる三次元色空間であるCIE Lab色域立体を作成する処理動作を行なうものである。
【００２２】
そして、色域体積計算手段は、前記のCIE Lab色域立体の全体の体積を求める処理動作を行なうものである。
【００２３】
こうして色域体積計算手段によって算出された前記CIE Lab色域立体の全体の体積の大小によりディスプレイやプリンタなどのカラー画像入出力装置単体の色再現能力を判断することができる。
【００２４】
これによって、ディスプレイやプリンタなどのカラー画像入出力装置の色再現性能を一意の数値として示し、カラー画像入出力装置の色再現性能をだれでも、簡単に、正しく判断することができるようにしたのである。
【００２５】
このように、ICCプロファイルを有する全てのカラー画像入出力装置について、色域体積計算手段によって算出された前記CIE Lab色域立体の全体の体積の大小によりディスプレイやプリンタなどのカラー画像入出力装置単体の色再現能力を判断できるので、同一もしくは異なる種類のカラー画像入出力装置の間において、装置性能を相互に平等に比較することが可能になる。
【００２６】
例えば、このように、色域体積計算手段によって算出された前記CIE Lab色域立体の全体の体積の大小によりディスプレイやプリンタなどのカラー画像入出力装置単体の色再現能力を判断することにより、同一もしくは異なる種類のカラー画像入出力装置の間において、たとえば、ディスプレイとディスプレイ、プリンタとプリンタといった同一種類のカラー画像入出力装置の間において、また、ディスプレイとプリンタといった異なる種類のカラー画像入出力装置の間において、装置性能を相互に平等に比較することが可能になる。
【００２７】
なお、本発明において、色域立体とは、CIE Labなどの３次元空間で示されたガモット（Gamut）（色表現範囲あるいは色再現範囲）のことをいう。
【００２８】
前記本発明のカラー画像入出力装置評価システムにおいて、第一のCIE Lab空間変換手段及び第二のCIE Lab空間変換手段は、CIE Lab空間におけるCIE Lab値の明度Ｌ値と、ａ値、ｂ値からなる三辺が、２色の色の違いを示す色差が１．０になっている立方体を形成している状態の立方体を一単位とし、この立方体を空間上に積み重ねてCIE Lab色域立体を作成するものである。
【００２９】
なお、本発明において、色差とは、２色の色の違いを示し、色差ΔＥabはCIE Lab空間で示された２点の色の差を表す。また、ΔＥabをベースに彩度に対する人間の視覚特性を考慮した色差ΔＥ９４が2005年度のJIS規格(Z8730)から付属書１（規定）として採用されている。
【００３０】
また、本発明のカラー画像入出力装置評価システムにおいて、前記の色域体積計算手段は、以下に説明する明度色相三角形作成手段を備えているものとすることができる。
【００３１】
この明度色相三角形作成手段は、前記のCIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点とを結んで三角形を作成する処理動作を行なうものである。
【００３２】
そして、この場合、前述した色域体積計算手段が行なう、前記のCIE Lab色域立体の全体の体積を求める処理動作は、所定の明度単位に分割されたａｂ平面における前記明度色相三角形作成手段によって作成された全ての三角形の面積を加算して当該ａｂ平面の色域面積を算出すると共に、算出された当該ａｂ平面の色域面積に、分割した明度単位を乗算して明度ごとの色域体積を算出し、この処理を全ての明度に対して行なって加算することにより、CIE Lab色域立体の全体の体積を求めるものである。
【００３３】
更に、前記目的を達成するため、本発明が提案するカラー画像入出力装置評価システムは、前述した本発明のいずれかのカラー画像入出力装置評価システムにおいて、更に、以下に説明する色域包含率計算手段が配備されていることを特徴とするものである。
【００３４】
この色域包含率計算手段は、評価の対象になっている２つの異なるカラー画像入出力装置の中の一方のカラー画像入出力装置における前記第一のCIE Lab空間変換手段又は第二のCIE Lab空間変換手段によって作成された一方のCIE Lab色域立体と、他方のカラー画像入出力装置における前記第一のCIE Lab空間変換手段又は第二のCIE Lab空間変換手段によって作成された他方のCIE Lab色域立体とが重なる割合である色域包含率を計算する処理動作を行なうものである。
【００３５】
色域包含率計算手段によって算出された色域包含率の大小により、評価の対象になっている２つの異なるカラー画像入出力装置の間における色整合性能を判断することができる。これによって、だれでも、簡単にかつ感覚的にカラー画像入出力装置の性能を判断することが可能になる。
【００３６】
また、これによって、同一もしくは異なる色再現性能をもつ複数のカラー画像入出力装置の間で同じ色再現を実現するための画像入出力現場におけるカラーマッチングの迅速な対応を可能にすることができる。
【００３７】
なお、ここで、２つの異なるカラー画像入出力装置とは、評価の対象になっている２つのカラー画像入出力装置を指すものであり、この評価の対象になっている２つの異なるカラー画像入出力装置が、ディスプレイとディスプレイ、プリンタとプリンタのように同一種類のカラー画像入出力装置であることもあれば、ディスプレイとプリンタのように異なる種類のカラー画像入出力装置であることもある。
【００３８】
前記本発明のカラー画像入出力装置評価システムにおいて、前記の色域包含率計算手段は、以下に説明する三角形内外判定手段を備えているものとすることができる。
【００３９】
この三角形内外判定手段は、評価の対象になっている２つの異なるカラー画像入出力装置の中の一方のカラー画像入出力装置における前記第一のCIE Lab空間変換手段又は第二のCIE Lab空間変換手段によって作成された一方のCIE Lab色域立体の中の任意の１点が、他方のカラー画像入出力装置における前記明度色相三角形作成手段によって作成された三角形における、当該任意の１点と同一の明度、同一の色相角の三角形に内包されているか否かを判定する処理動作を行なうものである。
【００４０】
そして、前記色域包含率計算手段は、この三角形内外判定手段による判定を、前記一方のCIE Lab色域立体を構成する全ての点について行なって、前記一方のCIE Lab色域立体を構成する全ての点の中で、他方のカラー画像入出力装置における前記第一のCIE Lab空間変換手段又は第二のCIE Lab空間変換手段によって作成された他方のCIE Lab色域立体の中に内包されている点の割合を求める処理動作を行なうものである。
【００４１】
なお、前記いずれの本発明のカラー画像入出力評価システムにおいても、カラー画像入出力装置に固有のICCプロファイルとしてワークスペースのICCプロファイルを使用することができる。
【発明の効果】
【００４２】
この発明のカラー画像入出力装置評価システムによれば、ディスプレイやプリンタなどのカラー画像入出力装置の色再現性能を一意の数値として示すことを可能にし、カラー画像入出力装置の色再現性能をだれでも、簡単に、正しく判断することが可能になる。
【００４３】
また、この発明のカラー画像入出力装置評価システムによれば、同一もしくは異なる種類のカラー画像入出力装置の間において、装置性能を相互に平等に比較することが可能になる。
【００４４】
更に、この発明のカラー画像入出力装置評価システムによれば、同一もしくは異なる種類のカラー画像入出力装置の間の色整合性能を判断可能にし、だれでも、簡単にかつ感覚的にカラー画像入出力装置の性能を判断することが可能になる。
【００４５】
また、この発明のカラー画像入出力装置評価システムによれば、同一もしくは異なる色再現性能をもつ複数のカラー画像入出力装置の間で同じ色再現を実現するための画像入出力現場におけるカラーマッチングの迅速な対応を可能にすることができる。
【発明を実施するための最良の形態】
【００４６】
カラー画像入出力装置の色再現性能及び装置間の色整合性能を評価する本発明のカラー画像入出力装置評価システムについて、図１から図１８を用いて説明する。
【００４７】
図１に概略構成の一例が図示されている本発明のカラー画像入出力装置評価システム１は、ICCプロファイル情報取得手段２、第一のCIE Lab空間変換手段３ａ、第二のCIE Lab空間変換手段３ｂ、色域体積計算手段７、明度色相三角形作成手段５、色域包含率計算手段９、三角形内外判定手段８、CIE Lab空間データベース4、明度色相三角形データベース6、包含色CIE Lab空間データベース10、包含色明度色相三角形データベース11を備えている。
【００４８】
本発明のカラー画像入出力装置評価システム１は、例えば、専用のコンピュータによって構成することができる。また、汎用コンピュータであるパーソナルコンピュータやワークステーションにおいて本発明のカラー画像入出力装置評価システム用のコンピュータプログラムをＣＰＵやＲＡＭ等によって実行させることにより構成することもできる。
【００４９】
前記において、ICCプロファイル情報取得手段２は、評価の対象になっているカラー画像入出力装置に固有のICCプロファイル情報を取得する動作を行なうものである。
【００５０】
カラー画像入出力装置の色域は、例えば、Ｒ（赤）Ｇ（緑）Ｂ（青）三原色を用いた加法混色で色を再現するディスプレイなどの装置の場合には、図３に示すような行列式を用いて装置非依存の絶対的な色空間（Independent Color Space）で表現されるCIE XYZ空間で表すことができる。また、このCIE XYZ空間は、図４で示す変換式により、CIE XYZの値を元に人間の目で見て均等な空間に色を配置した色評価単位であるCIE Labに変換することができる。
【００５１】
また、減法混色や並置混色などが混在した複雑な混色により色を再現しているプリンタの色域は、行列式では表現できないが、図５に示すようなＬＵＴ（ルックアップテーブル）により装置の色域が表される。
【００５２】
このようなディスプレイやプリンタなどのカラー画像入出力装置の色域に関する情報は、ＩＣＣプロファイルの中に記載されており、一般的に、カラー画像入出力装置のＩＣＣプロファイルは製造元から公開されている。
【００５３】
ただし、カラー画像入出力装置の色域は同じ機種であっても装置ごとに若干異なっており、また、経年変化を起こすこともある。
【００５４】
そこで、評価の対象になっているカラー画像入出力装置ごとに、評価を行なう時点で、ＩＣＣプロファイル情報を取得することが望ましい。
【００５５】
この場合、外部の装置において把握した評価の対象になっているカラー画像入出力装置のＩＣＣプロファイルを、コンピュータのインターフェース部などの情報取得部を通じて取得する。そして、インターフェース部などの情報取得部を通じて取得した評価の対象になっているカラー画像入出力装置のＩＣＣプロファイルについて、コンピュータのＣＰＵが所定のコンピュータプログラム（例えば、ICC（International Color Consortium）が提供しているICCプロファイル読込み確認ソフトウェア(http://www.color.org/resource2.html）もしくは、little cms(http://www.littlecms.com）など）の下の処理動作を行なってＩＣＣプロファイル情報を取得することができる。
【００５６】
かかる処理動作がICCプロファイル情報取得手段２に相当することになる。
【００５７】
こうして取得された評価の対象になっているカラー画像入出力装置の、評価を行なう時点のＩＣＣプロファイル情報は、評価の対象になっているカラー画像入出力装置を特定する情報に関連付けて、カラー画像入出力装置評価システム１の所定の記憶部（不図示）に記憶しておくことができる。
【００５８】
第一のCIE Lab空間変換手段３ａは、前記のICCプロファイル情報に基づき、CIE Lab値からなる三次元色空間であるCIE Lab色域立体を作成する処理動作を行なう。
【００５９】
第二のCIE Lab空間変換手段３ｂは、前記のICCプロファイル情報に基づき、CIE JCH値から直交３軸で示される均等色空間の直交３軸の値（J、aj、bj）を算出すると共に、これをCIE Lab値における直交３軸の値（L、a、b）に置き換え、この置き換えられたLab値からなる三次元色空間であるCIE Lab色域立体を作成する処理動作を行なう。
【００６０】
CIE JCHは、Microsoft Windows（登録商標） Vista オペレーティングシステムから採用される
WCS(Windows（登録商標）Color System)における色合わせ用の色空間として使用されているものである。
【００６１】
CIE159:2004で示されるJCH空間には、現状、直行３軸で示される色の単位が存在しない。そこでCIE JCHの値から直交３軸の値を逆算し、この値をJ 、aj 、bj と仮定することにより、本システムで使用することができるようにしたものである。すなわち、前記の第一のCIE Lab空間変換手段３ａが採用されている場合における本システムで使用しているLabの値を、直交３軸で示される他の均等色空間の値に置き換えて用いるものである。
【００６２】
前述した第二のCIE Lab空間変換手段３ｂが採用されている場合における本システムでは、CIE JCH(CIE159:2004規格)の値から逆算した直交３軸空間を、前記第一のCIE Lab空間変換手段３ａが採用されている場合における本システムで使用しているLabの値に置き換えて用いるものである。
【００６３】
ここで、ICCプロファイル情報に基づき、CIE JCH値から直交３軸で示される均等色空間の直交３軸の値（J、aj、bj）を算出する処理は、以下の式によって、J 、aj 、bj各々の値を求めるものである。
【００６４】
Ｊ＝Ｊ（無変換）
aj ＝C× cos( H )
bj ＝C× sin( H )
なお、Ｃ：彩度、Ｈ：色相である。
【００６５】
そして、こうして求められたJ 、aj 、bj値をCIE Lab値における直交３軸の値（L、a、b）に置き換える処理は、以下の式によって行なわれる。
【００６６】
L＝J
a＝aj
b＝bj
このようにして置き換えられたLabの値は、CIE 159:2004規格にもとづき、人間の視覚特性および観察環境条件等を考慮した色の単位となり、より現実に近い条件で色の評価を行うことができるようになる。
【００６７】
前述した第一のCIE Lab空間変換手段３ａ、第二のCIE Lab空間変換手段３ｂが行なう、CIE Lab値からなる三次元色空間であるCIE Lab色域立体を作成する処理は、具体的には、図７の右上側に表したように、CIE Lab空間におけるCIE Lab値の明度Ｌ値と、ａ値、ｂ値からなる三辺が、２色の色の違いを示す色差が１．０になっている立方体を形成している状態の立方体を一単位とし、この立方体を空間上に積み重ねてCIE Lab色域立体を作成するものである。すなわち、前記のごとくに一単位とした立方体を、図７の左下側に示すように、CIE Lab空間におけるＬ値の方向、ａ値の方向、ｂ値の方向にそれぞれ積み重ねてCIE Lab色域立体を作成するものである。
【００６８】
こうして、第一のCIE Lab空間変換手段３ａ、第二のCIE Lab空間変換手段３ｂによって作成されたCIE Lab色域立体に関する情報は、評価の対象になっているカラー画像入出力装置を特定する情報に関連付けて、CIE Lab空間データベース４に記憶される。
【００６９】
なお、以下、本明細書、図面において、第一のCIE Lab空間変換手段３ａ、第二のCIE Lab空間変換手段３ｂを総称して「CIE Lab空間変換手段３」と表すことがある。
【００７０】
色域体積計算手段７は、前記のCIE Lab色域立体の全体の体積を求める処理動作を行なう。
【００７１】
明度色相三角形作成手段５は、この色域体積計算手段７が行なう処理動作の一部を担うものである。
【００７２】
明度色相三角形作成手段５は、前記のCIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点（ａ＝０、ｂ＝０）とを結んで三角形を作成する処理動作を行なう。
【００７３】
この明度色相三角形作成手段５が行なう処理動作によって作成された三角形に関する情報は、評価の対象になっているカラー画像入出力装置を特定する情報に関連付けて、明度色相三角形データベース６に記憶される。
【００７４】
図１０は、分割された所定の明度単位におけるａｂ平面を表すものであり、このａｂ平面の色域を所定の色相角単位（図示の場合は、１０°ずつの色相角）に分割し、１０°ごとの色相角における最も彩度（クロマ）の高い点（＝無彩色点（ａ＝０、ｂ＝０）から最も離れている点）を輪郭点とし、隣り合う色相角の輪郭点と、無彩色点（ａ＝０、ｂ＝０）とを結んで三角形を作成した状態を説明するものである。
【００７５】
前述した色域体積計算手段７が行なう、CIE Lab色域立体の全体の体積を求める処理動作は、この明度色相三角形作成手段５によって、所定の明度単位に分割されたａｂ平面について作成された全ての三角形の面積を加算して当該ａｂ平面の色域面積を算出し（たとえば、図１０において、隣接する輪郭点ごとに結んだときの面積を算出し）、この算出されたａｂ平面の色域面積に、分割した明度単位を乗算して明度ごとの色域体積を算出し、この処理を全ての明度に対して行なって加算するものである。
【００７６】
色域包含率計算手段９は、評価の対象になっている２つの異なるカラー画像入出力装置の中の一方のカラー画像入出力装置（本明細書において「第１の装置」と表すことがある）におけるCIE Lab色域立体（本明細書においてこの第１の装置におけるCIE Lab色域立体を「一方のCIE Lab色域立体」と表すことがある）と、他方のカラー画像入出力装置（本明細書において「第２の装置」と表すことがある）におけるCIE Lab色域立体（本明細書においてこの第２の装置におけるCIE Lab色域立体を「他方のCIE Lab色域立体」と表すことがある）とが重なる割合である色域包含率を計算する処理動作を行なう。
【００７７】
なお、この際、評価の対象になっている２つの異なるカラー画像入出力装置の中の一方のカラー画像入出力装置（第１の装置）における一方のCIE Lab色域立体に関する情報、評価の対象になっている２つの異なるカラー画像入出力装置の中の他方のカラー画像入出力装置（第２の装置）における他方のCIE Lab色域立体に関する情報は、前述したように、それぞれ、第一のCIE Lab空間変換手段３ａ、第二のCIE Lab空間変換手段３ｂが行なう処理動作によって作成され、評価の対象になっているカラー画像入出力装置を特定する情報に関連付けて、CIE Lab空間データベース４に記憶されている。
【００７８】
三角形内外判定手段８は、この色域包含率計算手段９が行なう処理動作の一部を担うものである。
【００７９】
三角形内外判定手段８は、評価の対象になっている２つの異なるカラー画像入出力装置の中の一方のカラー画像入出力装置（第１の装置）における一方のCIE Lab色域立体の中の任意の１点が、他方のカラー画像入出力装置（第２の装置）における当該任意の１点と同一の明度、同一の色相角の前記明度色相三角形作成手段５によって作成されている三角形に内包されているか否かを判定する処理動作を行なう。なお、同一の明度の色域内に複数の色域三角形が存在し、この複数の色域三角形は色相角ごとに作成されるので、同一の明度、同一の色相角の前記明度色相三角形作成手段５によって作成されている三角形に内包されているか否かを判定する。
【００８０】
この際、評価の対象になっている２つの異なるカラー画像入出力装置の中の一方のカラー画像入出力装置（第１の装置）における一方のCIE Lab色域立体の中の任意の１点に関する情報は、前述したように、CIE Lab空間データベース４に記憶されている情報を利用し、他方のカラー画像入出力装置（第２の装置）における当該任意の１点と同一の明度、同一の色相角の前記明度色相三角形作成手段５によって作成されている三角形に関する情報は、明度色相三角形データベース６に記憶されている情報を参照する。
【００８１】
三角形内外判定手段８が行なった判定処理の結果に関する情報は、評価の対象になっているカラー画像入出力装置を特定する情報及び、判定を行なった当該カラー画像入出力装置におけるCIE Lab色域立体の中の任意の１点を特定する情報に関連付けて、包含色CIE Lab空間データベース10に記憶される。
【００８２】
色域包含率計算手段９が行う、前述した色域包含率を計算する処理動作は、前記三角形内外判定手段８による判定を、前記一方のCIE Lab色域立体を構成する全ての点について行なって、前記一方のカラー画像入出力装置（第１の装置）における一方のCIE Lab色域立体を構成する全ての点の中で、前記他方のカラー画像入出力装置（第２の装置）における他方のCIE Lab色域立体に内包されている点の割合を求めることにより、評価の対象になっている２つの異なるカラー画像入出力装置の中の一方のカラー画像入出力装置（第１の装置）における一方のCIE Lab色域立体と、他方のカラー画像入出力装置（第２の装置）における他方のCIE Lab色域立体とが重なる割合である色域包含率を計算するものである。
【００８３】
包含色明度色相三角形データベース１１は、三角形内外判定手段８が行なった判定処理の結果により包含色CIE Lab空間データベース１０に記録されている情報の中で、一方のカラー画像入出力装置（第１の装置）における一方のCIE Lab色域立体を構成する全ての点の中で、他方のカラー画像入出力装置（第２の装置）における他方のCIE Lab色域立体に内包されている点、すなわち包含色として判定された点に関する情報を用い、明度色相三角形作成手段５が前述した処理動作を行なって、即ち、明度色相三角形作成手段５が当該包含色として判定された点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点（ａ＝０、ｂ＝０）とを結んで作成した三角形に関するデータを格納するデータベースである。
【００８４】
この包含色明度色相三角形データベース11に格納されているデータは、後述するように、カラー画像入出力装置の第1の装置と第２の装置の包含色の色域体積を算出し、これによって、この装置間における再現可能な色の量を色域体積により判断する、すなわち、装置間における色再現能力を色域包含色の色域体積の大小によって判断する際などに利用される。
【００８５】
本発明のカラー画像入出力装置評価システム1は、前述したように、コンピュータを主体として構成することができる。この場合、コンピュータのメモリ、記憶装置（ディスク）などによって前記のCIE Lab空間データベース4、明度色相三角形データベース6、包含色CIE Lab空間データベース10、包含色明度色相三角形データベース11を構成し、ICCプロファイル情報取得手段2、第一のCIE Lab空間変換手段3ａ、第二のCIE Lab空間変換手段3ｂ、明度色相三角形作成手段5、色域体積計算手段7、三角形内外判定手段8、色域包含率計算手段９などは、コンピュータのCPUなどの処理動作部が、前記の記憶装置などに格納されている所定のコンピュータプログラムの指示の下に前述した各手段が行なう処理動作を実行することによって実現されるようにすることができる。
【００８６】
そこで、本発明は、ICCプロファイル情報取得手段2、第一のCIE Lab空間変換手段3ａ、第二のCIE Lab空間変換手段3ｂ、明度色相三角形作成手段5、色域体積計算手段7、三角形内外判定手段8、色域包含率計算手段９が行う前述した各処理動作を実行するようにコンピュータを機能させるコンピュータプログラムをも提案するものである。
【００８７】
次に、図２を参照して本発明のカラー画像入出力装置評価システムの全体の処理フローを説明する。
【００８８】
なお、カラー画像入出力装置の色再現性能及び装置間の色整合性能を評価する２つの異なるカラー画像入出力装置の中の一方の装置（第１の装置）と、前記２つの異なるカラー画像入出力装置の中の他方の装置（第２の装置）のそれぞれについて、以下の処理フローが実施される。
【００８９】
図２に示すように、ICCプロファイル情報取得手段2が、評価を行なう対象とするカラー画像入出力装置の、評価を行なう時点の色域情報であるICCプロファイル情報を取得する、例えば、読み込む（S201）。
【００９０】
取得したＩＣＣプロファイル情報は、評価の対象になっているカラー画像入出力装置を特定する情報に関連付けて、カラー画像入出力装置評価システム１の所定の記憶部（不図示）に記憶される。
【００９１】
次に、第一のCIE Lab空間変換手段３ａが、前記のICCプロファイル情報に基づき、CIE Lab値からなる三次元色空間であるCIE Lab色域立体を作成する（S202）。あるいは、第二のCIE Lab空間変換手段３ｂが、前記のICCプロファイル情報に基づき、CIE JCH値から直交３軸で示される均等色空間の直交３軸の値（J、aj、bj）を算出すると共に、これをCIE Lab値における直交３軸の値（L、a、b）に置き換え、この置き換えられたLab値からなる三次元色空間であるCIE Lab色域立体を作成する（Ｓ２０２）。
【００９２】
すなわち、ICCプロファイル情報を、色域立体を構成する個々の点に変換し、均等色空間であるCIE Lab空間に変換する処理が行なわれる。
【００９３】
例えば、図７の右上側に表したように、CIE Lab空間におけるCIE Lab値の明度Ｌ値と、ａ値、ｂ値からなる三辺が、２色の色の違いを示す色差が１．０になっている立方体を形成している状態の立方体を一単位とし、この立方体を図７の左下側に示すように、CIE Lab空間におけるＬ値の方向、ａ値の方向、ｂ値の方向にそれぞれ積み重ねてCIE Lab色域立体を作成する。
【００９４】
こうして、第一のCIE Lab空間変換手段３ａあるいは、第二のCIE Lab空間変換手段３ｂによって作成されたCIE Lab色域立体に関する情報は、評価の対象になっているカラー画像入出力装置を特定する情報に関連付けて、CIE Lab空間データベース４に記憶される。
【００９５】
次いで、明度色相三角形作成手段５が、前記のCIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点（ａ＝０、ｂ＝０）とを結んで三角形を作成する。
【００９６】
この明度色相三角形作成手段５が行なう処理動作によって作成された三角形に関する情報は、評価の対象になっているカラー画像入出力装置を特定する情報に関連付けて、明度色相三角形データベース６に記憶される。
【００９７】
次に、色域体積計算手段7が、明度色相三角形作成手段５によって所定の明度単位に分割されたａｂ平面について作成された全ての三角形の面積を加算して当該ａｂ平面の色域面積を算出し（たとえば、図１０において、隣接する輪郭点ごとに結んだときの面積を算出し）（Ｓ203）、この算出されたａｂ平面の色域面積に、分割した明度単位を乗算して明度ごとの色域体積を算出し、この処理を全ての明度に対して行なって加算することにより、CIE Lab色域立体の全体の体積（容積）を計算する（S204）。
【００９８】
ここまでの処理動作を、評価の対象になっているディスプレイやプリンタなどのカラー画像入出力装置についてそれぞれ行なう。
【００９９】
これによって、カラー画像入出力装置の持つ色再現能力をICCプロファイルをもとに、カラー画像入出力装置が表現できる色域を色域体積として算出して示し、カラー画像入出力装置の色再現性能を一意の数値として示すことができるようにしたのである。
【０１００】
すなわち、色域体積計算手段７によって算出されたCIE Lab色域立体の全体の体積の大小によりディスプレイやプリンタなどのカラー画像入出力装置単体の色再現能力を判断することができる。
【０１０１】
これによって、ディスプレイやプリンタなどのカラー画像入出力装置の色再現性能を一意の数値として示し、カラー画像入出力装置の色再現性能をだれでも、簡単に、正しく判断することができる。
【０１０２】
すなわち、新たな基準で、カラー画像入出力装置の性能を再測定することを必要とせず、ICCプロファイルを有する全てのカラー画像入出力装置に対して装置性能を手軽にかつ迅速に判断することができる。また、異なる種類のカラー画像入出力装置の間においても装置性能を相互に、平等にかつ迅速に判断することができる。
【０１０３】
ICCプロファイルを有する全てのカラー画像入出力装置について、色域体積計算手段７によって算出された前記CIE Lab色域立体の全体の体積の大小によりディスプレイやプリンタなどのカラー画像入出力装置単体の色再現能力を判断できるので、同一もしくは異なる種類のカラー画像入出力装置の間において、装置性能を相互に平等に比較することが可能になるのである。
【０１０４】
例えば、このように、色域体積計算手段７によって算出されたCIE Lab色域立体の全体の体積の大小によりディスプレイやプリンタなどのカラー画像入出力装置単体の色再現能力を判断することにより、同一もしくは異なる種類のカラー画像入出力装置の間において、たとえば、ディスプレイとディスプレイ、プリンタとプリンタといった同一種類のカラー画像入出力装置の間において、また、ディスプレイとプリンタといった異なる種類のカラー画像入出力装置の間において、装置性能を相互に平等に比較することが可能になる。
【０１０５】
次に、同一もしくは異なる種類のカラー画像入出力装置の間の色整合性能を評価、判断する工程について説明する。
【０１０６】
まず、三角形内外判定手段８が、評価の対象になっている２つの異なるカラー画像入出力装置の中の一方のカラー画像入出力装置（第１の装置）における一方のCIE Lab色域立体の中の任意の１点が、他方のカラー画像入出力装置（第２の装置）における当該任意の１点と同一の明度、同一の色相角の前述した明度色相三角形作成手段５によって作成されている三角形に内包されているか否かを判定する（Ｓ205）。
【０１０７】
この三角形内外判定手段８が行なった判定処理の結果に関する情報は、評価の対象になっているカラー画像入出力装置を特定する情報及び、判定を行なった当該カラー画像入出力装置におけるCIE Lab色域立体の中の任意の１点を特定する情報に関連付けて、包含色CIE Lab空間データベース10に記憶される。
【０１０８】
色域包含率計算手段９により、この三角形内外判定手段８による判定が、評価の対象になっている２つの異なるカラー画像入出力装置の中の一方のカラー画像入出力装置（第１の装置）における前記一方のCIE Lab色域立体を構成する全ての点について行なわれ、前記一方のCIE Lab色域立体を構成する全ての点の中で、評価の対象になっている２つの異なるカラー画像入出力装置の中の他方のカラー画像入出力装置（第２の装置）における他方のCIE Lab色域立体に内包されている点の割合を求めることにより、評価の対象になっている２つの異なるカラー画像入出力装置の中の一方のカラー画像入出力装置（第１の装置）における一方のCIE Lab色域立体と、他方のカラー画像入出力装置（第２の装置）における他方のCIE Lab色域立体とが重なる割合である色域包含率が計算される(Ｓ206)。
【０１０９】
色域包含率計算手段９によって算出された色域包含率の大小により、評価の対象になっている２つの異なるカラー画像入出力装置の間（例えば、ディスプレイとディスプレイ、プリンタとプリンタのように同一種類のカラー画像入出力装置の間、あるいは、ディスプレイとプリンタのように異なる種類のカラー画像入出力装置の間）における色整合性能を判断することができる。これによって、だれでも、簡単にかつ感覚的にカラー画像入出力装置の性能を判断することが可能になる。
【０１１０】
また、これによって、同一もしくは異なる色再現性能をもつ複数のカラー画像入出力装置の間で同じ色再現を実現するための画像入出力現場におけるカラーマッチングの迅速な対応を可能にすることができる。
【０１１１】
すなわち、評価の対象になっているカラー画像入出力装置またはワークスペースに対する色整合能力を、色域包含率として示すことができるようになる。これによって、色域包含率の大小により、異なる種類のカラー画像入出力装置の間の色整合性能が判断可能になり、色彩に関する専門家でなくても簡単にかつ感覚的にカラー画像入出力装置の性能を判断できるようになる。
【０１１２】
また、従来は、異なる色再現性能をもつ複数のカラー画像入出力装置の間において、同じ色再現を実現するために様々なカラーマッチングシステムが存在していたが、この発明によれば、カラーマッチングシステムを用いて合わせることが可能な色域空間の割合を明確にするとともに、カラーマッチングシステムを使用しても合わせることのできない排他色の存在を具体的に示すことも可能となり、これにより異なる色再現性能をもつ複数のカラー画像入出力装置の間で同じ色再現を実現するための画像入出力現場におけるカラーマッチングの迅速な対応を可能にすることができる。
【０１１３】
なお、同一もしくは異なる種類のカラー画像入出力装置の間の色整合性能の評価、判断において、評価の対象になっている他方のカラー画像入出力装置（第２の装置）が、評価の対象になっている一方のカラー画像入出力装置（第１の装置）における色を再現できる能力に関しては、前述したように、色域包含率計算手段９により、評価の対象になっている２つの異なるカラー画像入出力装置の中の一方のカラー画像入出力装置（第１の装置）における前記一方のCIE Lab色域立体を構成する全ての点について、前述したように評価の対象になっている２つの異なるカラー画像入出力装置の中の他方のカラー画像入出力装置（第２の装置）における他方のCIE Lab色域立体に内包されている点の割合を求めることにより行なうことができるが、より厳密には、これを逆転し、評価の対象になっている２つの異なるカラー画像入出力装置の中の他方のカラー画像入出力装置（第２の装置）における前記他方のCIE Lab色域立体を構成する全ての点について、評価の対象になっている２つの異なるカラー画像入出力装置の中の一方のカラー画像入出力装置（第１の装置）における前記一方のCIE Lab色域立体に内包されている点の割合を求めることにより、色の再現可能性を判定することが望ましい。
【０１１４】
そこで、この場合には、三角形内外判定手段８が、評価の対象になっている２つの異なるカラー画像入出力装置の中の他方のカラー画像入出力装置（第２の装置）における他方のCIE Lab色域立体の中の任意の１点が、一方のカラー画像入出力装置（第１の装置）における当該任意の１点と同一の明度、同一の色相角の前述した明度色相三角形作成手段５によって作成されている三角形に内包されているか否かを判定し、色域包含率計算手段９により、この三角形内外判定手段８による判定が、評価の対象になっている２つの異なるカラー画像入出力装置の中の他方のカラー画像入出力装置（第２の装置）における前記他方のCIE Lab色域立体を構成する全ての点について行なわれ、前記他方のCIE Lab色域立体を構成する全ての点の中で、評価の対象になっている２つの異なるカラー画像入出力装置の中の一方のカラー画像入出力装置（第１の装置）における前記一方のCIE Lab色域立体に内包されている点の割合を求めることにより、評価の対象になっている２つの異なるカラー画像入出力装置の中の他方のカラー画像入出力装置（第２の装置）における他方のCIE Lab色域立体と、一方のカラー画像入出力装置（第１の装置）における一方のCIE Lab色域立体とが重なる割合である色域包含率が計算される。すなわち、前記Ｓ205、Ｓ206の工程とは包含空間を転換して、色域包含率が計算される（Ｓ207）。
【０１１５】
こうして、Ｓ206で計算された色域包含率と、包含空間を転換して、Ｓ207で計算された色域包含率とを比較して、色再現が可能であるかどうかを判定する（Ｓ208）。
【０１１６】
このＳ206の工程で計算された色域包含率と、包含空間を転換して、Ｓ207の工程で計算された色域包含率とを比較して、色再現が可能であるかどうかを判定することにより、評価対照になっている２つの異なるカラー画像入出力装置の間における色再現能力の評価をより精度よく行うことができる。
【０１１７】
（CIE Lab空間変換工程）
次に、第一のCIE Lab空間変換手段3ａによる処理のフローチャートである図6を参照して、第一のCIE Lab空間変換手段3ａによって、ICCプロファイル情報に基づき、CIE Lab値からなる三次元色空間であるCIE Lab色域立体を作成する処理（S202）、すなわち、ICCプロファイル情報を、色域立体を構成する個々の点に変換する処理であって、カラー画像入出力装置のICCプロファイルに記載されている色域情報をCIE Labの三次元空間に展開する処理、ICCプロファイル情報を均等色空間であるCIE Lab空間に変換する処理の手順を説明する。
【０１１８】
まず、評価の対象とするカラー画像入出力装置の固有の色域情報であるICCプロファイルをあらかじめ用意する。
【０１１９】
前述したように、主なカラー画像入出力装置は標準ICCプロファイルが製造元から公開されているが、同じ機種であっても装置ごとに若干異なり経年変化を起こす場合があるため、現在の装置性能を正確に把握するには、光学測定器および市販プロファイル作成ソフトウェアを用いてICCプロファイル情報を新たに作成することが望ましい。
【０１２０】
また、通常のカラーマネージメント環境では、ワークスペース（作業色空間）にsRGBなどを用いるため、必要に応じて使用するワークスペースのICCプロファイルも用意しておく。
【０１２１】
こうして作成、あるいは用意されたICCプロファイルが、ICCプロファイル情報取得手段２により取得される、例えば、読み込まれる（図６のS601の工程。図２のS201の工程に対応している。）。
【０１２２】
ICCプロファイルは、ヘッダー、タグとそのデータからなる。
【０１２３】
ICCプロファイル内に記載されているカラー画像入出力装置の色域情報は、RGB三原色に対するCIE XYZを示すMatrixで表す場合と、LUT（ルック・アップ・テーブル）で表す場合があるが、どちらも用いることができる。
【０１２４】
例えば、ディスプレイ装置のようにRGB三原色を用いた加法混色で再現色を全て表現できる場合には、RGB三原色に対するCIE XYZを示すMatrixで表され、プリンタのように複雑な混色を行う装置では、行列式で再現色を全て表現することができないため、LUTを用いて表現可能な色域を定義しているので、LUTで表される。
【０１２５】
第一のCIE Lab空間変換手段3ａは、まず、ICCプロファイル情報内に記載されている装置の色域情報が、RGB三原色に対するCIE XYZを示すMatrixで表されているか、ＬＵＴで表されているかを判定する（S602）。
【０１２６】
ICCプロファイル情報内に記載されている装置の色域情報が、RGB三原色に対するCIE XYZを示すMatrixで表されていると判定された場合には、S604の工程に進む。
【０１２７】
RGB三原色に対するCIE XYZを示すMatrixは、例えば、図3に示すような計算式により示される。
【０１２８】
第一のCIE Lab空間変換手段3ａは、この図3の計算式により、RGB3次元空間を細分化して、CIE XYZ値を算出し、次に、図4に示す計算式により、CIE XYZ値をCIE Lab値に変換する（S604）。
【０１２９】
一方、ICCプロファイル情報内に記載されている装置の色域情報が、LUTで表されていると判定された場合には、S603の工程に進む。
【０１３０】
ICCプロファイル情報は、LUTを用いて装置の色域を表現する場合、LUT作成時の条件であるレンダリングインテントの種類について、A2B0、A2B1、A2B2の3種類のタグでその存在を示す。これら３種類のタグは、装置の色域を装置非依存の色空間に変換する３種の方法を示し、A2B0は知覚的（Perceptual）を示し、A2B1は相対的（Relative Colorimetric）、A2B2は彩度（Saturation）による変換方法を表している。標準的に使用されるレンダリングインテントは、A2B0で示される知覚的であるため、図示の実施形態ではA2B0タグが存在していた場合にLUTによる色変換を説明する。特殊な条件においては他のレンダリングインテントを用いたLUTを使用しても良い。この場合、A2B1もしくはA2B2の存在を判断することになる。
【０１３１】
S603の工程では、CIE Lab空間変換手段3が、図５に例示されているように、LUT内全てのCIE Lab値を抽出する。
【０１３２】
ついで、S605の工程において、S604の工程で求められていたCIE Lab値、あるいは、S603の工程で求められていたLUT内全てのCIE Lab値を、第一のCIE Lab空間変換手段3ａが、CIE Lab空間データベース4に蓄積する。
【０１３３】
なお、本実施例は、ICCプロファイルの接続色空間（PCS: [Profile Connection Space] ICCプロファイルで使われている概念で、モニターのRGB等の色空間からプリンタのYMC等、他の色空間に変換する際に、途中で経由する空間として用いられる。CIE XYZやCIE Lab等のデバイスに依存しない色空間。）がCIE Labの場合について説明している。
【０１３４】
PCSがCIE XYZの場合にはLUTの値はCIE XYZで示されるため、図4の式を用いてCIE Labに変換する必要がある。PCSがCIE LabであるかCIE XYZであるかは、Ｓ602の工程で、第一のCIE Lab空間変換手段3ａによって、ICCプロファイル情報のヘッダー情報（PCSの項目）を参照して判断される。
【０１３５】
（色域体積計算工程）
次に、図7〜図15を参照して色域体積計算手段７が行なう処理について説明する。
【０１３６】
色域体積計算手段7が、明度色相三角形データベース6に格納されている情報を用い、明度色相三角形作成手段５によって所定の明度単位に分割されたａｂ平面について作成された全ての三角形の面積を加算して当該ａｂ平面の色域面積を算出し（例えば、図１０において、隣接する輪郭点ごとに結んだときの面積を算出し）（Ｓ203）、この算出されたａｂ平面の色域面積に、分割した明度単位を乗算して明度ごとの色域体積を算出し、この処理を全ての明度に対して行なって加算することにより、CIE Lab色域立体の全体の体積（容積）を計算する（S204）。すなわち、カラー画像入出力装置のCIE Labで示された三次元の色域空間の色域体積（容積）を計算する。
【０１３７】
この工程を、図７〜図１５を参照して説明する。
【０１３８】
CIE Lab色域立体は、CIE Lab空間におけるCIE Lab値の明度Ｌ値と、ａ値、ｂ値からなる三辺が、２色の色の違いを示す色差が１．０になっている立方体を形成している状態の立方体を一単位とし、この立方体を図７の左下側に示すように、CIE Lab空間におけるＬ値の方向、ａ値の方向、ｂ値の方向にそれぞれ積み重ねて形成される。
【０１３９】
なお、色差とは、前述したように、2色の色の違いを示すもので、色差ΔEabは、CIE Lab空間で示された2地点の距離を表す（JISZ8730参照）。
【０１４０】
例えば、明度Lを10刻みにab面の面積を算出した場合、各明度におけるab面の面積×10を1階調分の色域体積とする。Lが0〜10まで、10〜20までと続け、最後に90〜100までの合計10階調の色域体積を求めて合計し、CIE Lab色域立体全体の色域体積と考えることができる。
【０１４１】
明度色相三角形作成手段５によって所定の明度単位に分割されたａｂ平面について作成された全ての三角形の面積を加算して当該ａｂ平面の色域面積を算出する（例えば、図１０において、隣接する輪郭点ごとに結んだときの面積を算出する）（Ｓ203）には、ab面上の輪郭を抽出する必要がある。
【０１４２】
そこで、図示の実施形態では、図8のように、色相（H）を10度刻みに36分割する。すなわち2次元のab平面のa>0の範囲を色相角（H）10度刻みで18分割し、同様にa<0の範囲も18分割し色域全体を36分割にする。
【０１４３】
輪郭を抽出するために、図9のように、36分割した各色相の中からそれぞれ、彩度（クロマ）（Ｃ）の最も高い点を選び、輪郭点とする。隣接する色相（Ｈ）の輪郭点を順番に直線で結ぶ。
【０１４４】
さらに図１０のように、各輪郭点と原点を結んだ三角形を作成する。この全ての三角形について各々面積を求め、その合計を算出しab面の色域面積を算出する。
【０１４５】
次に、この算出されたａｂ平面の色域面積に、分割した明度単位を乗算して明度ごとの色域体積を算出し、この処理を全ての明度に対して行なって加算することにより、CIE Lab色域立体の全体の体積（容積）を計算する（S204）には、明度0〜100までの全ての面積を算出し明度分割した単位を乗算することで、CIE Lab色域立体の色域体積を算出するのである。
【０１４６】
この方針のもとに、明度色相三角形作成手段5と色域体積計算手段7によって、カラー画像入出力装置の色域を示すCIE Lab色域立体の色域体積を計算する手法を説明する。
【０１４７】
図14は色域体積計算手段7における明度色相三角形作成手段5が行う処理動作を説明するフローチャートであり、図15は、色域体積計算手段７が行う処理動作を説明するフローチャートである。
【０１４８】
まず、CIE Lab空間データベース4から対象となるカラー画像入出力装置のCIE Lab値を読み込む（図14のS1401）。
【０１４９】
次に、CIE Lab値により求めた色域立体を構成する個々の点を所定の明度単位に分割し、ab平面に割り当てる（S1402）。例えば、明度Lを10刻みにab面の面積を算出した場合、各明度におけるab面の面積×10を1階調分の色域体積とする。Lが0〜10まで、10〜20までと続け、最後に90〜100までの合計10階調の色域体積を求めて合計し、CIE Lab色域立体全体の色域体積と考えることができる
次いで、所定の明度単位に分割されたab平面の色域について、さらに所定の色相角単位に分割し、色相角単位に分割した個々のデータについて最も彩度（クロマ）の高い点をａｂ面上の輪郭点として抽出する（S1403）。例えば、図9のように、36分割した各色相の中からそれぞれ、彩度（クロマ）の最も高い点を選び、輪郭点とする。
【０１５０】
なお、ここで、彩度と色相は、abの値により次の数1に表す式を用いて求めることができる。
【数１】
2008104055.tif 000003
【０１５１】
次に、隣り合う色相角の輪郭点と無彩色点（すなわち、ａ軸、ｂ軸において、ａ＝0, ｂ＝0で表される原点）を結んだ三角形を作成する（S1404）。例えば、前記のS1403の工程で選んだ、隣接する色相の輪郭点を順番に直線で結び、さらに図10のように、各輪郭点と原点とを結んだ三角形を作成する。
【０１５２】
こうして作成された三角形のデータが、明度色相三角形データベース６に格納される（Ｓ1405）。
【０１５３】
次に、図15を参照して色域体積計算手段7が行う処理動作について説明する。
【０１５４】
色域体積計算手段7は、まず、前記のS1405の工程で明度色相三角形データベース6に格納されたデータを読込み（Ｓ1501）、次いで、三角形の3点のうち無彩色点を除く2点、例えば、図１１図示の例では、図１１に示すＩ点およびＩＩ点から三角形の面積を次の数２に示される式より算出する(S1502)。
【数２】
2008104055.tif 000004
【０１５５】
三角形の面積Ｓを算出するには、色相角の小さいＩＩ点についてのa軸の値a2と、色相角の大きいＩ点についてのb軸の値b1とで示される点(a2,b1)と、無彩色点（図11におけるａ軸、ｂ軸の原点）とを対角線とする四角形で、かつ各辺がa軸、b軸のいずれかに平行な四角形の面積から、色相角の大きいＩ点についてのa軸の値a1と、色相角の小さいＩＩ点についてのb軸の値b2とで示される点(a1,b2)と無彩色点（図11におけるａ軸、ｂ軸の原点）を対角線とする四角形で、かつ各辺がa軸、b軸のいずれかに平行な四角形の面積を減算した残りの面積を、図12に示す灰色の面積で示し、この灰色の面積を２分の１にした値が三角形の面積Ｓになる、というものである。
【０１５６】
図１２に示す灰色の部分の面積の２分の１は、図１３に示す灰色の部分の３つの三角形（１）、（２）、（３）を合計した面積に相当する。３つの三角形の面積は各々、（１）の面積は（４）の面積に相当し、（２）の面積は（５）の面積に相当し、（３）の面積は（６）の面積に相当するため、三角形（１）、（２）、（３）の面積の合計は、図11に示した三角形の面積Ｓ（＝図13における三角形（４）、（５）、（６）の面積の合計）に等しくなる。
【０１５７】
次に、全ての色相角における三角形の面積を求め、ab面の三角形面積を全て加算してab面の色域面積を求める（S1503）。
【０１５８】
次いで、明度単位に分割したab面全体の面積に、分割した明度単位を乗算して明度ごとの色域体積を求める。これを全ての明度に対して計算し加算することによりCIE Lab空間全体の色域体積を計算する（S1504）。
【０１５９】
以上により、カラー画像入出力装置の色域体積計算方法の説明を終了する。
【０１６０】
（色域包含率計算工程）
次に、異なるカラー画像入出力装置の間における色域包含率を計算する方法を、図16、図17を用いて説明する。
【０１６１】
異なるカラー画像入出力装置（第1の装置と、第2の装置）の間における色域包含率を計算する方法は、三角形内外判定手段8、色域包含率計算手段9によって、以下に説明する手法によって行われる。
【０１６２】
以下の説明では、上述したCIE Lab空間の色域体積計算過程において生成された色域情報を用いて２つの異なるカラー画像入出力装置の間の色域包含率を計算する。
【０１６３】
色域包含率は、第1の装置の色域立体の中から任意の1点を抽出し、この点が、第2の装置における色域の、前記第1の装置の色域立体の中の任意の1点の明度、色相と、明度、色相がそれぞれ同一な前述した明度色相三角形作成手段５によって作成されている三角形に内包されているかどうかを判定すること、すなわち、三角形内外判定によって計算することができる。
【０１６４】
すなわち、第1の装置の色域立体を構成する総ての点の中から任意の1点を抽出し、この点が、第２の装置における色域の、前記第1の装置の色域立体の中の当該任意の1点の明度、色相と、明度、色相がそれぞれ同一な前述した明度色相三角形作成手段５によって作成されている三角形に内包されているかどうかを判定し、第1の装置の色域立体を構成する総ての点に対して、内包されていると判定された点の割合を求めることによって、色域包含率とするものである。
【０１６５】
図16を参照して、第1の装置の色域立体における任意の色H（図16）が、図16に点（H1）、点（H2）、a軸、b軸の原点0で構成される第2の装置における色域の三角形（H1‐H2‐0）に内包されているか否か、という三角形内外判定の方法について説明する。
【０１６６】
まず、色相に関する内外判定を行う。判定する対象になっている任意の色Ｈの色相角が比較対象H1、H2の色相角に内包されているか否かをまず判断する。
【０１６７】
ここで判定する対象になっている任意の色Ｈの色相角が、図16図示のように、H１≧H≧H２であれば、第1の装置の色域立体における任意の色Hの色相角は比較対象になっている第2の装置における色域の三角形（H1‐H2‐0）を構成する点（Ｈ１）、点（Ｈ２）の色相角に内包されていると判断する。
【０１６８】
判定する対象になっている任意の色Hの色相角が比較対象になっている第2の装置における色域の三角形（H1‐H2‐0）を構成する点（Ｈ１）、点（Ｈ２）の色相角に内包されていた場合、次に、判定する対象になっている任意の色Ｈの彩度について内外判定を行う。
【０１６９】
まず、図16図示のように、H1、H2を直線で結ぶ。判定する対象になっている任意の色Ｈと無彩色点（ａ軸、ｂ軸の原点０）を結んだ線を必要に応じて彩度方向に延長し、先に作成した直線Ｈ１‐Ｈ２との交点Ｐを求める。
【０１７０】
ここでＨ1のａ軸の値をａ1、ｂ軸の値をｂ1として、Ｈ２のａ軸の値をａ２、ｂ軸の値をｂ２とした場合の直線Ｈ１−Ｈ２の傾きＡは、次の数３に表される式のように求められる。
【数３】
2008104055.tif 000005
ここでＰのａ軸の値をａ、ｂ軸の値をｂとした場合、Ｐは直線Ｈ１‐Ｈ２上に位置し、直線Ｈ１‐Ｈ２がｂ軸と交差する点をＤとした場合、以下の数４で表される式が成り立つ。
【数４】
2008104055.tif 000006
またＨ−０を結ぶ直線の傾きをＡ’とした場合、直線Ｈ−０の傾きＡ’は、次の数５に示す式で導き出され、
【数５】
2008104055.tif 000007
【０１７１】
これから、次の数６に示す式が導き出される。
【数６】
2008104055.tif 000008
【０１７２】
そこで式１１、式１２より以下の数７で示す式が導き出せる。
【数７】
2008104055.tif 000009
【０１７３】
前記の式１２、式１３からbの値は、次の数８に示す式によって求められる。
【数８】
2008104055.tif 000010
【０１７４】
Ｐ点の彩度Ｃは、前記の式１３、式１４の値を、以下の数９で示す式に代入して求めることができる。
【数９】
2008104055.tif 000011
【０１７５】
ここで、Ｈ点における彩度をＣ′とした場合、以下の数１０で示す式が成立すれば、第1の装置の色域立体における任意の色Ｈは、Ｈ１‐Ｈ２‐０で構成される第２の装置における色域の三角形に内包されていると判断することができる。
【数１０】
2008104055.tif 000012
【０１７６】
次に、図１７を参照して、以上で説明した手法により、三角形内外判定手段8、色域包含率計算手段9によって、２つの異なるカラー画像入出力装置の間の色域包含率を算出する手法を説明する。図１７は、三角形内外判定手段8、色域包含率計算手段９が行う処理のフローチャートである。
【０１７７】
ここでは、第一のCIE Lab空間変換手段３ａによる処理動作の一例を説明するフロー図である図６のS605の工程でCIE Lab空間データベース４に格納された、S604の工程で求められていたカラー画像入出力装置の第1の装置におけるCIE Lab値、あるいは、S603の工程で求められていたカラー画像入出力装置の第1の装置におけるLUT内全てのCIE Lab値と、明度色相三角形作成手段５が行う処理動作の一例を説明するフロー図である図１４のS1405の工程で、明度色相三角形データベース６に格納される、カラー画像入出力装置の第２の装置における、隣り合う色相角の輪郭点と無彩色点（ａ＝0, ｂ＝0）を結んだ三角形のデータが利用される。
【０１７８】
まず、三角形内外判定手段8が、カラー画像入出力装置の第1の装置におけるCIE Lab値、あるいは、カラー画像入出力装置の第1の装置におけるLUT内全てのCIE Lab値を、CIE Lab空間データベース４からを読込む（S1701）。
【０１７９】
次に、三角形内外判定手段8が、カラー画像入出力装置の第２の装置における、隣り合う色相角の輪郭点と無彩色点（ａ＝0, ｂ＝0）を結んだ三角形のデータであって、前記カラー画像入出力装置の第1の装置におけるCIE Lab値、あるいは、カラー画像入出力装置の第1の装置におけるLUT内全てのCIE Lab値で特定される明度、色相と、同一の明度、色相における、隣り合う色相角の輪郭点と無彩色点（ａ＝0, ｂ＝0）を結んだ三角形のデータを、明度色相三角形データベース６から読込む（S1702）。
【０１８０】
次いで、三角形内外判定手段8が、上述した手法により、第1の装置における色域立体を構成する点について、第2の装置の三角形に含まれるか否かの判定を行い、第2の装置の三角形内に含まれる色を包含色として判定する（S1703）。
【０１８１】
次に、三角形内外判定手段8により包含色として判定された点を抽出して（S1704）、包含色CIE Lab空間データベース10に格納する（S1705）。
【０１８２】
次に、包含色CIE Lab空間データベース10に格納されている情報をもとに、色域包含率計算手段9が色域包含率を計算する（S1706）。
【０１８３】
すなわち、カラー画像入出力装置の第1の装置の第２の装置に対する全ての明度および色相角における包含色の数を、第1の装置のCIE Lab空間データベース４におけるデータ総数で割り、第1の装置の第2の装置に対する色域包含率を求める。
【０１８４】
ここで第1の装置と第２の装置を入れ替えて計算を行えば、第２の装置の第1の装置に対する色域包含率を求めることができる。
【０１８５】
（ワークスペースを経由した２つの装置の間の色域包含率計算）
通常のカラーマネージメントでは、接続色空間（プロファイル・コネクションスペース）にｓRGBなどのワークスペースを経由して色合わせが行われる。通常のカラーマネージメントでは、管理対象とするカラー画像入出力装置を複数想定している。
【０１８６】
管理対象とする装置が２台であれば、その間だけで色を合わせ、各々一意の色を再現することができる。しかし、管理対象が３台以上になった場合、自分を除いた装置数分の色合わせが必要となり、色あわせの対象となる装置毎に毎回異なる色を再現することになる。
【０１８７】
このような煩雑さを避けるため、通常のカラーマネージメントではsRGBなどのワークスペースに色を合わせるようにする。各々の装置はsRGBなどのワークスペースに色を合わせることで一意の色を再現することができるとともに、複数の装置で再現される各々の色を近づけることができる。
【０１８８】
ここでワークスペースを経由してカラー画像入出力装置の第１の装置、第２の装置間でカラーマネージメントを行った場合の第１の装置と、第２の装置の間の色域包含率は以下の手順で計算する。
【０１８９】
まず、図17のフローチャートに従い、ワークスペースに対する第1の装置の包含色CIE Lab空間データベースを作成する。
【０１９０】
次に、同様の手順に基づきワークスペースに対する第2の装置の包含色CIE Lab空間データベースを作成する。
【０１９１】
次に、この第1の装置の包含色CIE Labデータベースと、第2の装置の包含色Labデータベースとの間の包含色CIE Labデータベースを作成し、これをワークスペースのデータ数で割ることによって、使用ワークスペースに対する第1の装置、第2の装置間の色域包含率を求める。
【０１９２】
ただし、装置によってはワークスペースに対する装置の色域包含率が高くてもワークスペースに対する色差が低くならない場合がある。ディスプレイ装置などの場合、装置がRGB各々単色で再現できる色の数が256色などに制限されている場合がある。装置の色域がワークスペースに対して大きい場合には、この256色を再配分して色合わせを行うことになり、その結果、再現される色に重複が発生し、再現可能な色数が減少することにより、色差が増加してしまう場合がある。したがって、ワークスペースを経由してカラー画像入出力装置の第1の装置、第2の装置間の色域包含率を予測する場合は、ワークスペースに対する第1の装置の色域包含率を求めるとともに、第１の装置に対するワークスペースの色域包含率を求め、どちらか低い方の値をＸとし、同様に、ワークスペースに対する第２の装置の色域包含率を求めるとともに、第２の装置に対するワークスペースの色域包含率を求め、どちらか低い方の値をＹとして、２つの色域包含率Ｘ，Ｙの積を求めることにより、装置１，２間の簡易的な色域予測包含率を求めることができる。
【０１９３】
（装置間における色再現能力評価）
次に、図２のフローチャートのＳ２０８の工程に該当する、２つの装置の間における再現可能な色の量を色域体積により判断する、すなわち、装置間における色再現能力を色域包含色の色域体積の大小によって判断する手法について説明する。
【０１９４】
これは、カラー画像入出力装置の第１の装置と第２の装置の包含色の色域体積を、図１４、図１５のフローチャートをもとに算出するもので、これによって、装置間における再現可能な色の量を色域体積により判断することができる。すなわち装置間における色再現能力を色域包含色の色域体積の大小によって判断することができる。
【０１９５】
この工程では、包含色明度色相三角形データベース１１に格納されている情報が利用される。
【０１９６】
包含色明度色相三角形データベース１１に格納されているデータは、前述したように、三角形内外判定手段８が行なった判定処理の結果により包含色CIE Lab空間データベース１０に記録されている情報の中で、一方のカラー画像入出力装置（第１の装置）における一方のCIE Lab色域立体を構成する全ての点の中で、他方のカラー画像入出力装置（第２の装置）における他方のCIE Lab色域立体に内包されている点、すなわち包含色として判定された点に関する情報を用い、明度色相三角形作成手段５が前述した処理動作を行なって、即ち、明度色相三角形作成手段５が当該包含色として判定された点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点（ａ＝０、ｂ＝０）とを結んで作成した三角形に関するデータである。
【０１９７】
この情報を用い、色域体積計算手段７が、所定の明度単位に分割されたａｂ平面における全ての三角形の面積を加算して当該ａｂ平面の色域面積を算出すると共に、算出された当該ａｂ平面の色域面積に、分割した明度単位を乗算して明度ごとの色域体積を算出し、この処理を全ての明度に対して行なって加算し、包含色のCIE Lab色域立体の全体の体積を求める。
【０１９８】
こうして計算された色域包含色の色域体積の大小によって２つのカラー画像入出力装置の間における色再現能力を評価するものである。
【０１９９】
前記の場合であれば、一方のカラー画像入出力装置（第１の装置）における一方のCIE Lab色域立体を構成する全ての点の中で、他方のカラー画像入出力装置（第２の装置）における他方のCIE Lab色域立体に内包されている点、すなわち包含色として判定された点に関する情報が用いられているので、他方のカラー画像入出力装置（第２の装置）において、一方のカラー画像入出力装置（第１の装置）の色を再現する能力を評価することができる。
【０２００】
以上の「装置間における色再現能力評価」で説明したように、この発明のカラー画像入出力装置評価システムは、前述した処理動作を行う色域体積計算手段７を備えたものとして構成することができる。かかる構成からなるカラー画像入出力装置評価システムによれば、色域体積計算手段７が前述した処理動作を行うことにより、計算された色域包含色の色域体積の大小によって２つのカラー画像入出力装置の間における色再現能力を評価することができる。
【０２０１】
そこで、本発明は、色域体積計算手段７が行う前述した処理動作を実行するようにコンピュータを機能させるコンピュータプログラムをも提案することができる。
【０２０２】
なお、以上の「装置間における色再現能力評価」で説明した本発明のカラー画像入出力装置評価システムにおいて、色域体積計算手段７が利用する前述した包含色明度色相三角形データベース１１に格納されている情報は、前述した処理動作を行う色域体積計算手段７を備えている本発明のカラー画像入出力装置評価システムがこのような情報が格納されている記憶部を備えている形態にすることもできるし、そのような記憶部は備えておらず、コンピュータのインターフェース部などの情報取得部を通じてこのような情報を取得する等の形態にすることができる。
【０２０３】
（異なる２つの装置の間で任意の色が再現できるかを判断する工程）
次に図１８を参照して、異なる２つのカラー画像入出力装置（第1の装置と第２の装置）の間で、任意の色が再現できるかを判断する方法について説明する。この工程も図２に（Ｓ２０８）「色再現可否」として表されている工程である。
【０２０４】
まず、第1の装置の第２の装置に対する包含色明度色相三角形データベース１１を読み込む（Ｓ１８０１）。
【０２０５】
次に、任意の色を入力してCIE Lab値に変換する（Ｓ１８０２）。
【０２０６】
次に、包含色明度色相三角形データベース１１に任意の色が内包されるか否か三角形内外判定手段８を用いて判定する（Ｓ１８０３）。
【０２０７】
すなわち、三角形内外判定手段８が行なった判定処理の結果により包含色CIE Lab空間データベース１０に記録されている情報の中で、一方のカラー画像入出力装置（第１の装置）における一方のCIE Lab色域立体を構成する全ての点の中で、他方のカラー画像入出力装置（第２の装置）における他方のCIE Lab色域立体に内包されている点、すなわち包含色として判定された点に関する情報を用い、明度色相三角形作成手段５が前述した処理動作を行なって、即ち、明度色相三角形作成手段５が当該包含色として判定された点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点（ａ＝０、ｂ＝０）とを結んで作成した三角形に関するデータである、包含色明度色相三角形データベース１１に格納されているデータを利用し、三角形内外判定手段８が、前記任意の色から変換されたCIE Lab値で表される点と同一の明度、同一の色相角の三角形に、当該CIE Lab値で表される点が内包されているか否かを判定する。
【０２０８】
次に、色再現可否の判断を行う（Ｓ１８０４）。すなわち、前記のＳ１８０３の工程での三角形内外判定によって、内包されていると判断された場合には、前記の任意の色は再現可能な色として認定し、内包されなかった場合には、前記の任意の色は再現不可能な色として警告を発生することができる。
【０２０９】
なお、ここで、再現可能であるか否かを判定する任意の色のCIE Lab値については、例えば、本発明のカラー画像入出力装置評価システムを操作している者が任意の色に関するデータ（CIE Labで指定した任意の色のデータ）を本発明のカラー画像入出力装置評価システムに入力して前記の判定処理を行うようにすることができる。
【０２１０】
以上の「異なる２つの装置の間で任意の色が再現できるかを判断する工程」で説明したように、この発明のカラー画像入出力装置評価システムは、前述した処理動作を行う三角形内外判定手段８を備えた構成のものとすることができる。かかる構成からなるカラー画像入出力装置評価システムによれば、三角形内外判定手段８が行う前述した判定において、内包されていると判断された場合には、前記の任意の色を再現可能な色として認定し、内包されなかった場合には、前記の任意の色を再現不可能な色として認定することができる。
【０２１１】
そこで、本発明は、三角形内外判定手段８が行う前述した各処理動作を実行するようにコンピュータを機能させるコンピュータプログラムをも提案することができる。
【０２１２】
なお、三角形内外判定手段８が利用する前述した包含色明度色相三角形データベース１１に格納されている情報は、前述した処理動作を行う三角形内外判定手段８を備えている本発明のカラー画像入出力装置評価システムがこのような情報が格納されている記憶部を備えている形態にすることもできるし、そのような記憶部は備えておらず、コンピュータのインターフェース部などの情報取得部を通じてこのような情報を取得する等の形態にすることができる。
【０２１３】
（任意の色が再現できるか否かを判断する工程）
これは、第1の装置、等の評価対象になっているカラー画像入出力装置が任意の色を再現できるか否か判定するものであり、図２に（Ｓ２０８）「色再現可否」として表されている工程である。
【０２１４】
これは、図２のＳ２０４までの工程が行なわれていて、明度色相三角形データベース６に所定のデータが記録されている評価対象のカラー画像入出力装置に関して、本発明のカラー画像入出力装置評価システムを操作している者が希望する任意の色に関するデータ（CIE Labで指定した任意の色のデータ）を本発明のカラー画像入出力装置評価システムに入力し、三角形内外判定手段８に、前記明度色相三角形データベース６に記録されているデータを利用して、当該入力されたCIE Labで指定した任意の色のデータについて前述した三角形内外判定処理を行なわせるものである。
【０２１５】
この三角形内外判定処理の結果、入力した任意の色（CIE Labで指定した任意の色）が三角形に内包されていれば、その色は、当該評価対象のカラー画像入出力装置において再現可能であると判定することができる。
【０２１６】
一方、内包されていない場合には、その旨の警告がなされる。
【０２１７】
これによって、本発明のカラー画像入出力装置評価システムを操作している者は、画像出力を行なうことなしに、評価対象になっているカラー画像入出力装置において、任意の色が再現可能であるかどうかをリアルタイムに判断することが可能になる。
【０２１８】
すなわち、この方法では、明度色相三角形データベース６に格納されているデータを用いて判定処理が行われる。
【０２１９】
この明度色相三角形データベース６に格納されているデータは、前述したように、CIE Lab空間変換手段３が、評価の対象になっているカラー画像入出力装置について作成したCIE Lab値からなる三次元色空間であるCIE Lab色域立体に関する情報を用いて、明度色相三角形作成手段５が、CIE Lab空間変換手段３が作成した当該CIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点とを結んで作成した三角形に関する情報である。
【０２２０】
そして、例えば、本発明のカラー画像入出力装置評価システムを操作している者が本発明のカラー画像入出力装置評価システムに入力した、再現可能であるか否かを判定する任意の色のCIE Lab値（CIE Labで指定した任意の色のデータ）について、当該任意の色のCIE Lab値が、明度色相三角形作成手段５が作成している前記の三角形に内包されるか否かを三角形内外判定手段８を用いて判定するのである。
【０２２１】
以上の「任意の色が再現できるか否かを判断する工程」で説明したように、この発明のカラー画像入出力装置評価システムは、前述した処理動作を行う三角形内外判定手段８を備えたものとすることができる。かかるカラー画像入出力装置評価システムによれば、三角形内外判定手段８が行う前述した判定によって、入力した任意の色（CIE Labで指定した任意の色）が当該評価対象のカラー画像入出力装置において再現可能であるか否か判定することができる。
【０２２２】
そこで、本発明は、三角形内外判定手段８が行う前述した各処理動作を実行するようにコンピュータを機能させるコンピュータプログラムをも提案することができる。
【０２２３】
なお、三角形内外判定手段８が利用する前述した明度色相三角形データベース６に格納されている情報は、前述した処理動作を行う三角形内外判定手段８を備えている本発明のカラー画像入出力装置評価システムがこのような情報が格納されている記憶部を備えている形態にすることもできるし、そのような記憶部は備えておらず、コンピュータのインターフェース部などの情報取得部を通じてこのような情報を取得する等の形態にすることができる。
【実施例】
【０２２４】
本発明のカラー画像入出力装置評価システムを用い、市販されている複数のディスプレイについて色域体積を算出し、これを棒グラフで表したものを図１９（ａ）に示す。
【０２２５】
図１９（ａ）は市販の８種類のディスプレイ装置（図中、上側から、ディスプレイＡ、ディスプレイＢ、・・・、ディスプレイＨ）について、本発明のカラー画像入出力装置評価システムを用い、図２におけるＳ２０４の工程までの処理、すなわち、図１４、図１５に示す処理工程を行なってそれぞれ色域体積を算出し、棒グラフで表したものである。
【０２２６】
色域体積の大きいものほど色再現能力が優れている。
【０２２７】
このように本発明のカラー画像入出力装置評価システムによれば、同一の種類の異なるカラー画像入出力装置（図１９（ａ）図示の場合は８機のディスプレイ装置）の色再現能力を一意に比較することができる。これによって、同一の種類の異なるカラー画像入出力装置において、どの機種がもっとも色再現能力において優れているか一目瞭然に判断できる。
【０２２８】
図示の例では、ディスプレイＡがもっとも色域体積が大きいので、この８機のディスプレイ装置の中では最も色再現能力が優れていることがわかる。そして、順に、ディスプレイＢ、ディスプレイＣと色再現能力が低下し、図１９（ａ）中、最も下のディスプレイＨが最も色再現能力が低いことがわかる。
【０２２９】
色再現能力に関して同様の携行であることは、この８種類のディスプレイ装置について画像の色を目視で比較しても確認することができた。
【０２３０】
この図１９（ａ）には、下側に、ワークスペースに用いられるｓＲＧＢ及び、ＡｄｏｂｅＲＧＢも棒グラフで表している。
【０２３１】
ワークスペースｓＲＧＢに最も色域体積が近いのは図１９（ａ）中、上から５番目のディスプレイＥ（ディスプレイＥのｓＲＧＢに対する色域包含率は９８％であった）で、ワークスペースｓＲＧＢに対して色整合性能がもっとも優れているのが、図１９（ａ）中、上から５番目のディスプレイＥであることがわかる。
【０２３２】
一方、ワークスペースＡｄｏｂｅＲＧＢに最も色域体積が近いのは図中、上から１番目のディスプレイＡで、ワークスペースＡｄｏｂｅＲＧＢに対して色整合性能がもっとも優れているのは図１９（ａ）中、上から１番目のディスプレイＡになる。
【０２３３】
図１９（ｂ）は、市販されている９機のプリンタについて、本発明のカラー画像入出力装置評価システムを用い、図２におけるＳ２０６の工程の処理、すなわち、図１７に示す処理工程を行なって、それぞれ、共通作業色空間ｓＲＧＢに対する色域包含率を測定し、これを棒グラフで表したものである。各プリンタについて、当該プリンタに対するワークスペースｓＲＧＢの色域包含率（図中、「対対象装置」）と、ワークスペースｓＲＧＢに対する当該プリンタの色域包含率（図中、「対ワークスペース」）を求めている。
【０２３４】
両者（ワークスペースに対する評価対象装置の色域包含率、評価対象装置に対するワークスペースの色域包含率）の長さが近接しており、かつ、棒グラフの長さが大きいものほど、ワークスペースとの相性が良いことを意味している。
【０２３５】
したがって、検討した９機のプリンタの中で、ワークスペースｓＲＧＢとの相性がもっとも良いのは、図１９（ｂ）中、上から１番目のプリンタＡになる。
【０２３６】
ワークスペースｓＲＧＢに対して色整合性能がもっとも優れているディスプレイＥと、ワークスペースｓＲＧＢとの相性がもっとも良いプリンタＡと、ワークスペースｓＲＧＢとの組み合わせでカラーマネジメントを実施し、カラーチャートの個々のパッチについて色差分布を示した結果は図１９（ｃ）図示のようになった。図１９（ｃ）図示の結果は、テストチャート  ＴＣ９．１８ＲＧＢ  プロファイル作成用チャート（９３６パッチ）を用いて、従来、この技術分野で実施されているところによりカラーマネジメントを実施したものである。
【０２３７】
一般的に色差が４以上になると異なる色として認識されるようになる。
【０２３８】
例えば、発明者らが、図１９（ａ）、（ｂ）で評価したディスプレイ装置と、プリンタ装置とを任意に組み合わせて同様にカラーマネジメントを実施したところ、人間の視覚に近いといわれるΔＥ９４で比較した場合でも、平均色差は１５前後あり、２つの画像の色を目視で比較すると色に違和感を感じた。
【０２３９】
しかし、ディスプレイＥと、プリンタＡと、ワークスペースｓＲＧＢとの組み合わせでのカラーマネジメントによれば、図１９（ｃ）図示のように、人間の視覚に近いといわれるΔＥ９４で比較した場合で平均色差は４．１４で、２つの画像の色を目視で比較しても違和感がなかった。
【０２４０】
これから、本発明のカラー画像入出力装置評価システムによれば、ディスプレイやプリンタなどのカラー画像入出力装置の色再現性能を一意の数値として示し、カラー画像入出力装置の色再現性能をだれでも、簡単に、正しく判断可能になること、同一もしくは異なる種類のカラー画像入出力装置の間において、装置性能を相互に平等に比較可能になること、同一もしくは異なる種類のカラー画像入出力装置の間の色整合性能を判断可能にし、だれでも、簡単にかつ感覚的にカラー画像入出力装置の性能を判断可能になること、同一もしくは異なる色再現性能をもつ複数のカラー画像入出力装置の間で同じ色再現を実現するための画像入出力現場におけるカラーマッチングの迅速な対応が可能になることが確認できた。
【０２４１】
以上に説明した本発明の実施形態では、ICCプロファイル情報取得手段２、CIE Lab空間変換手段３、色域体積計算手段７を備えているカラー画像入出力装置評価システム１について説明したが、ICCプロファイル情報取得手段２を備えていない形態のカラー画像入出力装置評価システムとすることもできる。
【０２４２】
すなわち、ICCプロファイル情報取得手段２は、コンピュータのインターフェース部などの情報取得部を通じて取得した評価の対象になっているカラー画像入出力装置のＩＣＣプロファイルについて、コンピュータのＣＰＵが所定のコンピュータプログラム（例えば、little cms(http://www.littlecms.com）の下の処理動作を行なってＩＣＣプロファイル情報を取得する処理動作を行なうものであるので、外部のコンピュータ等においてかかる処理動作が行なわれて取得されたＩＣＣプロファイル情報を、コンピュータのインターフェース部などの情報取得部を通じて取得する等の形態にすれば、ICCプロファイル情報取得手段２を備えていない本発明のカラー画像入出力装置評価システムとすることができる。
【０２４３】
この場合、本発明のカラー画像入出力装置評価システム１は、前述したCIE Lab空間変換手段３と、色域体積計算手段７を備えているものになる。
【０２４４】
同様に、ICCプロファイル情報取得手段２及び、CIE Lab空間変換手段３の双方を備えていない形態のカラー画像入出力装置評価システムとすることもできる。
【０２４５】
すなわち、CIE Lab空間変換手段３は、ICCプロファイル情報に基づき、CIE Lab値からなる三次元色空間であるCIE Lab色域立体を作成する処理動作を行なうので、外部のコンピュータ等においてICCプロファイル情報に基づき作成されたCIE Lab値からなる三次元色空間であるCIE Lab色域立体に関する情報を、コンピュータのインターフェース部などの情報取得部を通じて取得する等の形態にすれば、ICCプロファイル情報取得手段２及び、CIE Lab空間変換手段３の双方を備えていない本発明のカラー画像入出力装置評価システムとすることができる。
【０２４６】
この場合、本発明のカラー画像入出力装置評価システム１は、少なくとも、色域体積計算手段７を備えている形態のものとして構成される。
【０２４７】
前述したCIE Lab空間変換手段３と色域体積計算手段７を備えている本発明のカラー画像入出力装置評価システム、あるいは、少なくとも色域体積計算手段７を備えている本発明のカラー画像入出力装置評価システムのいずれであっても、色域体積計算手段7が、CIE Lab色域立体の全体の体積（容積）を計算することにより、カラー画像入出力装置の持つ色再現能力をICCプロファイルをもとに、カラー画像入出力装置が表現できる色域を色域体積として算出して示し、カラー画像入出力装置の色再現性能を一意の数値として示すことができる。
【０２４８】
なお、この際、色域体積計算手段７が行なう処理動作の一部を担う明度色相三角形作成手段５が、CIE Lab色域立体を構成する個々の点を所定の明度単位に分割し、当該所定の明度単位に分割されたａｂ平面の色域を所定の色相角単位に分割すると共に、当該所定の色相角における最も彩度の高い点を輪郭点とし、隣り合う色相角の輪郭点と、無彩色点（ａ＝０、ｂ＝０）とを結んで三角形を作成する処理動作を行い、この明度色相三角形作成手段５によって、所定の明度単位に分割されたａｂ平面について作成された全ての三角形の面積を加算して当該ａｂ平面の色域面積を算出し（たとえば、図１０において、隣接する輪郭点ごとに結んだときの面積を算出し）、この算出されたａｂ平面の色域面積に、分割した明度単位を乗算して明度ごとの色域体積を算出し、この処理を全ての明度に対して行なって加算することにより、色域体積計算手段７が行なうCIE Lab色域立体の全体の体積を求める処理動作が行われることは前述した通りである。
【０２４９】
前述したように、本発明のカラー画像入出力装置評価システムにおいて、色域体積計算手段７は、例えば、色域体積計算手段７が実行する前述した各処理動作を実行するようにコンピュータを機能させるコンピュータプログラムを、メモリ、記憶装置（ディスクなど）などから読み込んで、ＣＰＵなどのコンピュータの処理動作部が実行することにより実現されるものである。そこで、本発明は、色域体積計算手段７が実行する前述した各処理動作を実行するようにコンピュータを機能させるコンピュータプログラムをも提案するものである。
【０２５０】
また、同様に、本発明のカラー画像入出力装置評価システムは、評価の対象になっている２つの異なるカラー画像入出力装置の中の一方のカラー画像入出力装置（第１の装置）におけるCIE Lab色域立体（一方のCIE Lab色域立体）と、他方のカラー画像入出力装置（第２の装置）におけるCIE Lab色域立体（他方のCIE Lab色域立体）とが重なる割合である色域包含率を計算する処理動作を行なう色域包含率計算手段９を少なくとも備えている形態のものとすることもできる。
【０２５１】
この場合、前述した実施形態では、それぞれ、CIE Lab空間変換手段３が行なう処理動作によって作成された、評価の対象になっている２つの異なるカラー画像入出力装置の中の一方のカラー画像入出力装置（第１の装置）における一方のCIE Lab色域立体に関する情報、評価の対象になっている２つの異なるカラー画像入出力装置の中の他方のカラー画像入出力装置（第２の装置）における他方のCIE Lab色域立体に関する情報が、評価の対象になっているカラー画像入出力装置を特定する情報に関連付けてCIE Lab空間データベース４に記憶されていたが、色域包含率計算手段９を備えている本発明のカラー画像入出力装置評価システムがこのような情報が格納されている記憶部を備えている形態にすることもできるし、そのような記憶部は備えておらず、コンピュータのインターフェース部などの情報取得部を通じてこのような情報を取得する等の形態にすることができる。
【０２５２】
なおこの際、色域包含率計算手段９が行なう処理動作の一部を担う三角形内外判定手段８が、評価の対象になっている２つの異なるカラー画像入出力装置の中の一方のカラー画像入出力装置（第１の装置）における一方のCIE Lab色域立体の中の任意の１点が、他方のカラー画像入出力装置（第２の装置）における当該任意の１点と同一の明度、同一の色相角の前記明度色相三角形作成手段５によって作成されている三角形に内包されているか否かを判定する処理動作を行ない、かかる三角形内外判定手段８による判定を、前記一方のCIE Lab色域立体を構成する全ての点について行なって、前記一方のカラー画像入出力装置（第１の装置）における一方のCIE Lab色域立体を構成する全ての点の中で、前記他方のカラー画像入出力装置（第２の装置）における他方のCIE Lab色域立体に内包されている点の割合を求めることにより、評価の対象になっている２つの異なるカラー画像入出力装置の中の一方のカラー画像入出力装置（第１の装置）における一方のCIE Lab色域立体と、他方のカラー画像入出力装置（第２の装置）における他方のCIE Lab色域立体とが重なる割合である色域包含率を計算する色域包含率計算手段９の処理動作が実行されることは前述したとおりである。
【０２５３】
少なくとも色域包含率計算手段９を備えている本発明のカラー画像入出力装置評価システムにより、前述したように、三角形内外判定手段８による判定が、評価の対象になっている２つの異なるカラー画像入出力装置の中の一方のカラー画像入出力装置（第１の装置）における前記一方のCIE Lab色域立体を構成する全ての点について行なわれ、前記一方のCIE Lab色域立体を構成する全ての点の中で、評価の対象になっている２つの異なるカラー画像入出力装置の中の他方のカラー画像入出力装置（第２の装置）における他方のCIE Lab色域立体に内包されている点の割合を求め、評価の対象になっている２つの異なるカラー画像入出力装置の中の一方のカラー画像入出力装置（第１の装置）における一方のCIE Lab色域立体と、他方のカラー画像入出力装置（第２の装置）における他方のCIE Lab色域立体とが重なる割合である色域包含率が計算し、算出された色域包含率の大小により、評価の対象になっている２つの異なるカラー画像入出力装置の間（例えば、ディスプレイとディスプレイ、プリンタとプリンタのように同一種類のカラー画像入出力装置の間、あるいは、ディスプレイとプリンタのように異なる種類のカラー画像入出力装置の間）における色整合性能を判断することができる。
【０２５４】
ここでも、前述したように、本発明のカラー画像入出力装置評価システムにおいて、色域包含率計算手段９は、例えば、色域包含率計算手段９が実行する前述した各処理動作を実行するようにコンピュータを機能させるコンピュータプログラムを、メモリ、記憶装置（ディスクなど）などから読み込んで、ＣＰＵなどのコンピュータの処理動作部が実行することにより実現されるものである。そこで、本発明は、色域包含率計算手段９が実行する前述した各処理動作を実行するようにコンピュータを機能させるコンピュータプログラムをも提案するものである。
【０２５５】
なお、以上の変形として、前述したCIE Lab空間変換手段３と色域体積計算手段７と色域包含率計算手段９とを備えているカラー画像入出力装置評価システム、あるいは、色域体積計算手段７と色域包含率計算手段９とを備えているカラー画像入出力装置評価システムを提案することもできるし、前述したCIE Lab空間変換手段３が実行する前述した各処理動作、色域体積計算手段７が実行する前述した各処理動作及び、色域包含率計算手段９が実行する前述した各処理動作を実行するようにコンピュータを機能させるコンピュータプログラム、色域体積計算手段７が実行する前述した各処理動作及び、色域包含率計算手段９が実行する前述した各処理動作を実行するようにコンピュータを機能させるコンピュータプログラムを提案することもできる。
【図面の簡単な説明】
【０２５６】
【図１】本発明のカラー画像入出力装置評価システムの概略構成の一例を表す図。
【図２】本発明のカラー画像入出力装置評価システムによる全体の処理動作の一例を説明するフロー図。
【図３】ＲＧＢ三次元空間を細分化してＣＩＥ  ＸＹＺ値を算出する際に用いられる計算式。
【図４】ＣＩＥ  ＸＹＺ値からＣＩＥ  Ｌａｂ値に変換する際に用いられる計算式。
【図５】ルック・アップ・テーブル（ＬＵＴ）内のＬａｂ値の一例を表す図。
【図６】ＣＩＥ  Ｌａｂ空間変換手段による処理動作の一例を説明するフロー図。
【図７】ＣＩＥ  Ｌａｂで示された色域空間の色体積を説明する図。
【図８】ab面の面積を算出するため、色相（H）を10度刻みに36分割して、ab面上の輪郭を抽出する状態を説明する図。
【図９】図８のように36分割した各色相の中からそれぞれ、彩度（クロマ）の最も高い点を選び、輪郭点とする。隣接する色相の輪郭点を順番に直線で結んだ状態を説明する図。
【図１０】図９において、各輪郭点と原点を結んだ三角形を作成した状態を説明する図。
【図１１】各輪郭点と原点を結んだ三角形の面積を計算する工程を説明する図。
【図１２】各輪郭点と原点を結んだ三角形の面積を計算する工程を説明する図。
【図１３】各輪郭点と原点を結んだ三角形の面積を計算する工程を説明する図。
【図１４】明度色相三角形作成手段が行う処理動作の一例を説明するフロー図。
【図１５】色域体積計算手段が行う処理動作の一例を説明するフロー図。
【図１６】三角形内外判定手段が行う処理動作を説明する図。
【図１７】色域包含率計算手段が行う処理動作の一例を説明するフロー図。
【図１８】異なる二つのカラー画像入出力装置の間で任意の色が再現できるかを判断する処理動作の一例を説明するフロー図。
【図１９】（ａ）は本発明のカラー画像入出力装置評価システムを用い、市販されている複数のディスプレイについて色域体積を算出し棒グラフで表した図、（ｂ）は市販されている複数のプリンタについて本発明のカラー画像入出力装置評価システムを用いそれぞれ共通作業色空間ｓＲＧＢに対する色域包含率を測定し棒グラフで表した図、（ｃ）はワークスペースｓＲＧＢに対して色整合性能がもっとも優れているディスプレイＥと、ワークスペースｓＲＧＢとの相性がもっとも良いプリンタＡとワークスペースｓＲＧＢとの組み合わせでカラーマネジメントを実施し、カラーチャートの個々のパッチについて色差分布を示した結果を表す図。
【符号の説明】
【０２５７】
１  カラー画像入出力装置評価システム
２  ICCプロファイル取得手段
３ａ  第一のCIE Lab空間変換手段
３ｂ  第二のCIE Lab空間変換手段
４  CIE Lab空間データベース
５  明度色相三角形作成手段
６  明度色相三角形データベース
７  色域体積計算手段
８  三角形内外判定手段
９  色域包含率計算手段
１０  包含色CIE Lab空間データベース
１１  包含色明度色相三角形データベース
【図１】
2008104055.tif 000013
【図２】
2008104055.tif 000014
【図３】
2008104055.tif 000015
【図４】
2008104055.tif 000016
【図５】
2008104055.tif 000017
【図６】
2008104055.tif 000018
【図７】
2008104055.tif 000019
【図８】
2008104055.tif 000020
【図９】
2008104055.tif 000021
【図１０】
2008104055.tif 000022
【図１１】
2008104055.tif 000023
【図１２】
2008104055.tif 000024
【図１３】
2008104055.tif 000025
【図１４】
2008104055.tif 000026
【図１５】
2008104055.tif 000027
【図１６】
2008104055.tif 000028
【図１７】
2008104055.tif 000029
【図１８】
2008104055.tif 000030
【図１９】
2008104055.tif 000031